(57)【特許請求の範囲】
【請求項１】
本体内に陳列室を構成し、該陳列室の後面開口を引き戸式の扉にて開閉自在に閉塞すると共に、前記陳列室内にて商品を加熱しながら陳列するショーケースにおいて、
前記本体のフレームと、該フレームの外側に位置して前記本体の外面を構成する壁材と、前記陳列室の後面開口を縁取る枠材とを備え、
該枠材は、前記陳列室の後面開口方向に開放し、前記扉が填め込まれるレールと、前方に開口して前記フレーム及び壁材を収容する収容部を有していることを特徴とするショーケース。
【請求項２】
前記フレームは一面が開口し、内部に配線を収納可能な空間が形成されており、前記枠材の収容部に収容された状態で、前記フレームの開口が塞がれることを特徴とする請求項１に記載のショーケース。
【請求項３】
前記フレームの前面には、前記陳列室内に架設される棚が係合する係合孔が形成されていることを特徴とする請求項１又は請求項２に記載のショーケース。
【請求項４】
前記枠材は、前記陳列室の後面開口の四辺にそれぞれ取り付けられる四つの枠部材から成り、各枠部材は同一断面形状の樹脂押出成形にて構成されていることを特徴とする請求項１乃至請求項３のうちの何れかに記載のショーケース。
【発明の詳細な説明】
【技術分野】
【０００１】
本発明は、本体内に陳列室を構成し、この陳列室の後面開口を引き戸式の扉にて開閉自在に閉塞すると共に、陳列室内にて商品を加熱しながら陳列するショーケースに関するもの、特に、扉の開閉構造に関するものである。
【背景技術】
【０００２】
従来よりコンビニエンスストアなどの店舗には、レジなどが載置されるサービステーブルが設けられている。このサービステーブルには、卓上型の冷却ショーケースや加温ショーケース等も載置されており、冷却又は加温された飲料や調理済み食品などの促進販売が行われている。
【０００３】
加温ショーケースとしては、例えば特許文献１に示されるものがある。係るショーケースは、本体の前後面及び両側面は、透視可能な透明壁にて構成されており、内部の陳列室内には、商品を陳列する棚や、棚上の商品を加熱するためのヒータが設けられている。そして、本体の後面には、後面開口が形成されており、観音開き式の扉によって開閉自在に閉塞されている。
【０００４】
特許文献２には、後面開口に引き戸式の扉が設けられているショーケースが示されている。当該引き戸式の扉は、開口上縁と下縁とにレール部材が設けられており、扉の上縁部及び下縁部に回動自在に設けられる摺動部材（ローラ）を備えている。係る構成により、扉を開口上下縁に設けられるレール部材に摺動自在に支持させ、扉に設けられる摺動部材を当該レール部材内に摺動させることで、開閉自在とされている。
【先行技術文献】
【特許文献】
【０００５】
【特許文献１】特開２００６−１５８８０５号公報
【特許文献２】特開２００６−２９６９２８号公報
【発明の概要】
【発明が解決しようとする課題】
【０００６】
従来の如く構成のショーケースでは、ショーケース本体は、本体フレームと、このフレームの外側に位置して本体の外面を構成するガラス製の側板や、天板等から構成されている。そのため、組み立て作業時においては、完成された本体フレームに側板を支持しながら固定しつつ、両側板の上端間に渡って天板を固定しなければ成らず、作業性が悪いという問題があった。
【０００７】
これに加えて、特許文献２のように後面開口を引き戸式の扉にて開閉自在に閉塞する場合には、当該扉が摺動自在に保持されるレール部材を少なくとも開口上下縁に設ける必要があり、作業工程が煩雑となる。
【０００８】
一方、陳列室内にて商品を加熱しながら陳列するショーケースでは、陳列室内に架設された各棚の上方に、ランプヒータが設けられており、このランプヒータによる輻射熱によって当該棚上の食材等が加熱される。このランプヒータは加熱手段としての役割以外にも、陳列室内を照明する役割を有している。
【０００９】
このランプヒータの配線１１０は、図７の部分拡大横断面図に示すように、本体の後隅部に立設される本体フレーム１０１の上部から内部に引き込まれて収容され、当該本体フレーム１０１の下端から外部に引き出され、当該ショーケース本体下部に配設された電装箱に結線されていた。図７に示す断面図は、後面開口が観音開き式の扉にて開閉自在に閉塞されるショーケースである。
【００１０】
この場合、当該本体フレーム１０１は、前方に開口する断面略コ字状を呈しており、その内方側の側面に、棚を架設するための係止具１０２を取り付け、後面に扉１０３のヒンジ部材１０４が固定されている。そして、当該本体フレーム１０１の前面開口は、配線カバー１０５によって閉塞され、顧客側となるショーケース正面に、配線が露出しない構成とされている。
【００１１】
この配線カバー１０５は、後方に開口する断面略コ字状を呈しており、一側面を本体フレーム１０１とガラス製の側板１０６との間に挟み込み、他側面と本体フレーム１０１側面とを重合させてネジにより固定させる。更に、当該配線カバー１０５と本体フレーム１１０間、若しくは側板１０６との隙間は、コーキング処理を行っていた。
【００１２】
そのため、ランプヒータの交換作業を行う場合には、当該コーキング処理を除去し、配線カバー１０５を取り外す作業を行わなければならず、交換作業性が煩雑となる問題がある。そこで、配線カバー１０５の上側と下側とでカプラー接続を行うことも考えられる。しかし、部品点数の増加を伴うと共に、当該配線カバー１０５内における断線等に原因がある場合には、配線カバー１０５の取り外し作業が必要となる問題がある。
【００１３】
本発明は従来の技術的課題を解決するためになされたものであり、ショーケースの組立作業性の向上、更には、配線を伴うランプヒータ等のメンテナンス作業性の向上を図ることができるショーケースを提供する。
【課題を解決するための手段】
【００１４】
上記課題を解決するために、本発明のショーケースは、本体内に陳列室を構成し、この陳列室の後面開口を引き戸式の扉にて開閉自在に閉塞すると共に、陳列室内にて商品を加熱しながら陳列するものであって、本体のフレームと、このフレームの外側に位置して本体の外面を構成する壁材と、陳列室の後面開口を縁取る枠材とを備え、この枠材は、陳列室の後面開口方向に開放し、扉が填め込まれるレールと、前方に開口してフレーム及び壁材を収容する収容部を有していることを特徴とする。
【００１５】
請求項２の発明は、上記発明において、フレームは一面が開口し、内部に配線を収納可能な空間が形成されており、枠材の収容部に収容された状態で、フレームの開口が塞がれることを特徴とする。
【００１６】
請求項３の発明は、上記各発明において、フレームの前面には、陳列室内に架設される棚が係合する係合孔が形成されていることを特徴とする。
【００１７】
請求項４の発明は、上記各発明において、枠材は、陳列室の後面開口の四辺にそれぞれ取り付けられる四つの枠部材から成り、各枠部材は同一断面形状の樹脂押出成形にて構成されていることを特徴とする。
【発明の効果】
【００１８】
本発明によれば、本体内に陳列室を構成し、この陳列室の後面開口を引き戸式の扉にて開閉自在に閉塞すると共に、陳列室内にて商品を加熱しながら陳列するショーケースにおいて、本体のフレームと、このフレームの外側に位置して本体の外面を構成する壁材と、陳列室の後面開口を縁取る枠材とを備え、この枠材は、陳列室の後面開口方向に開放し、扉が填め込まれるレールと、前方に開口してフレーム及び壁材を収容する収容部を有していることにより、当該枠材によって、扉が填め込まれるレールを形成することができると共に、フレーム及び壁材の後端面を隠蔽することができる。これにより、後方からの外観向上を実現できる。
【００１９】
また、組み立て作業時において、フレーム及び壁材の後端面を枠材の収容部内に収容させることで、壁材をフレームに保持、若しくは仮保持させておくことが可能となる。これにより、組立作業性の向上を図ることができる。
【００２０】
請求項２の発明によれば、上記発明に加えて、フレームは一面が開口し、内部に配線を収納可能な空間が形成されており、枠材の収容部に収容された状態で、フレームの開口が塞がれるため、フレーム内部に配線を支障なく収容することができる。また、当該フレームの開口は、枠材にて塞がれるため、格別なカバー部材を不要とでき、当該配線が伴うヒータや照明器具等のメンテナンス作業性を向上させることができる。
【００２１】
請求項３の発明によれば、上記各発明に加えて、フレームの前面には、陳列室内に架設される棚が係合する係合孔が形成されているので、当該係合孔に棚の係合部を挿入係合させることで、陳列室内に支障なく棚を架設することができる。
【００２２】
請求項４の発明によれば、上記各発明に加えて、枠材は、陳列室の後面開口の四辺にそれぞれ取り付けられる四つの枠部材から成り、各枠部材は同一断面形状の樹脂押出成形にて構成されていることにより、同一形状の樹脂押出成型品の枠部材によって本願発明の枠材を構成することができる。これにより、部品コストの低減を実現することができる。
【図面の簡単な説明】
【００２３】
【図１】本発明の実施例のショーケースの透視側面図である。
【図２】図１のショーケースの背面図である。
【図３】図２のＡ部分拡大断面図である。
【図４】図２のＢ部分拡大断面図である。
【図５】枠部材の断面図である。
【図６】切除状態を示す枠部材の断面図である。
【図７】従来のショーケースの部分拡大横断面図である。
【発明を実施するための形態】
【００２４】
以下、図面に基づき本発明の実施形態を詳述する。図１は本発明を適用したショーケース１の縦断側面図、図２はショーケース１の背面図をそれぞれ示している。
【００２５】
実施例のショーケース１は、店舗のサービスカウンターなどの所謂テーブル上に設置される卓上型加温ショーケースである。このショーケース１は、外部から陳列室３内の商品を透視できるように陳列するため、本体２の前後面及び両側面が内部を透視可能な透明壁にて構成されている。そして、陳列室３の後面に形成された後面開口４は、左右に摺動自在に構成される引き戸式の後扉７、７により開閉自在に閉塞される。当該後面開口４は、常には、後扉７、７により閉塞されているが、当該扉７を開放することで、店員が陳列室３の後側から陳列室３内への商品の補充や陳列を可能とする。尚、図中７Ａは扉７の把手部である。
【００２６】
このショーケース１は、図１に示すような底壁８、天壁９、左右フレーム１０、１０及び上フレーム４１から成る本体２により構成されており、この本体２の両側には、内部に形成される陳列室３内が透視可能な透明壁にて構成される側板５、５が設けられている。そして、この本体２には、上面から下部前端に渡って本体２の前面を構成すると共に、上面及び前面から陳列室３内を透視可能とする透明壁からなる前面板６が設けられ、当該上面と前面上端とにより構成される角部は、突き合わされた状態で接着、若しくは、連続して所定曲率にて湾曲して形成されている。
【００２７】
また、陳列室３の後方両側には、上下に所定間隔で複数の係合孔１３（図３参照）が穿設された左右フレーム１０、１０が設けられている。この左右フレーム１０、１０間に渡って上下方向に所定の間隔で複数の棚１１が架設されている。各棚１１を構成する一対のブラケットの１１Ａ、１１Ａの後端には、複数の係合爪１１Ｂが形成されており、当該係合爪１１Ｂを左右フレーム１０に形成された係合孔１３に挿入係合させることにより、棚１１が左右フレーム１０に支持される。そのため、陳列室３内に支障なく棚１１を架設できる。
【００２８】
本実施例では、棚１１は２段だけ架設されているが、これ以上であっても良いものとする。この上段の棚１１と陳列室３の天壁９、上下の各棚１１、下段の棚１１と陳列室３の底壁８とは略等間隔の距離を有すると共に、各棚１１は当該棚１１上に陳列される商品を前方から視認しやすくする目的で、前方に少許傾斜して設けられている。尚、１４は例えば調理済み食材等の商品を陳列するための陳列皿で、この陳列皿１４は、各棚１１上、及び底壁８上に設置される。
【００２９】
また、各棚１１の載置面の上方、即ち、棚１１の載置面に対しては本体２の天壁９裏面側と、各棚１１の設置面に対して裏面には、それぞれ照明手段と加熱手段を兼ねたランプヒータ１６が設けられている。このランプヒータ１６は、点灯することで、輻射熱により各棚１１の載置面、底壁８の載置面及び、当該ランプヒータ１６と載置面との間に位置する空気を加熱するものである。また、ランプヒータ１６は、点灯により加熱と同時に、赤外線より暖色系の照明としての役割を有するものである。このランプヒータ１６は、陳列室３後方に向けて引き出された配線１６Ａを介して制御装置が配設される電装箱１７に接続されている。当該制御装置によりランプヒータ１６への通電制御が行われる。
【００３０】
尚、図中１８は高温となるランプヒータ１６に直接触れることを防止するための線条部材にて構成されたカバー部材であり、１９は当該ランプヒータ１６の照射光を効果的に載置面上に反射させるための反射板である。
【００３１】
また、比較的温度が上昇する陳列室３内の上部近傍に、図示しない温度センサが設けられており、陳列室３内の温度を検出する。本体２の底壁８の後面には、液晶表示器２０が設けられており、前記温度センサが検出した陳列室３内の温度を表示する。この液晶表示器２０は、使用者が容易に視認しやすい本体２下部（扉７下側）に設けられている。また、本体２の底壁８の後面には、電源スイッチ２１が設けられている。
【００３２】
尚、図中２２は、本体２の天壁９の後面には、陳列室３からの商品を取り出す際に使用する商品取出具を保持する保持部である。この保持部２２は、使用者が容易に取り外して使用しやすいように本体２上部（扉７上側）に設けられている。
【００３３】
次に、陳列室３の後面に構成された後面開口４を縁取る枠材３０の構成について上記図２乃至図６を参照して説明する。図３は図２のＡ部分拡大断面図、図４は図２のＢ部分拡大断面図、図５は上枠部材３１又は側枠部材３２の断面図、図６は切除状態を示す下枠部材３３の断面図をそれぞれ示している。
【００３４】
後面開口４を縁取る枠材３０は、陳列室３の後面開口４の四辺にそれぞれ取り付けられる四つの枠部材から構成される。即ち、後面開口４の上縁に取り付けられる上枠部材３１と、開口側縁に取り付けられる側枠部材３２、３２と、開口下縁に取り付けられる下枠部材３３から構成される。
【００３５】
いずれの枠部材３１、３２、３３は、同一断面形状の樹脂押し出し成形にて構成されている。上枠部材３１と、側枠部材３２、３２は、扉７、７が填め込まれるレール３５と、収容部３６とから構成されている。
【００３６】
レール３５は、陳列室３の後面開口４方向（扉７側）に開放して、前後に引き違いに設けられる扉７、７の縁部がそれぞれ前後に填め込まれるものであり、平行して形成される前後２条の溝３５Ａ、３５Ａにより構成されている。上枠部材３１及び下枠部材３３の溝３５Ａ、３５Ａは、それぞれ扉７、７の上縁部又は下縁部が前後に摺動可能に保持される。
【００３７】
収容部３６は、前方に開口して構成されており、本体２の左右フレーム１０、１０若しくは、上フレーム４１と、このフレーム１０又は４１の外側に当接（位置）して本体２の外面を構成する天壁９又は側板５（いずれも壁材に相当する）が収納される。当該収容部３６の一端に後面開口４方向に開放して構成されるレール３５が一体に構成され、枠部材全体として、レール３５が一側面を構成する前方に開口した断面略コ字状を呈する。
【００３８】
本体２を構成し、当該収容部３６に収納される左右フレーム１０は、一面、本実施例では、後面開口４の開口方向に開口する断面略コ字状に形成され、内部に配線１６Ａを収納可能な空間１５が上下に延在して構成される。左右フレーム１０の下端は、底壁８内に差し込まれ、上端は天壁９に保持される。
【００３９】
この左右フレーム１０の前面には、上述した如き棚１１を架設するための複数の係合孔１３が所定間隔を存して穿設されていると共に、陳列室３内に設けられるランプヒータ１６等の電気機器の配線１６Ａを内部に引き込むための図示しない挿通孔（若しくは切欠）が形成されている。
【００４０】
これにより、左右フレーム１０の後面開口４の開口方向の開口１０Ａは、側枠部材３２が取り付けられ、当該側枠部材３２の収容部３６に収容された状態で、レール３５側の側面にて塞がれる。
【００４１】
本実施例における天壁９は、外面を構成する外面パネル９Ａと、陳列室３側を構成する内面パネル９Ｂとが所定間隔を存して構成されている。当該天壁９の後端に位置する外面パネル９Ａと内面パネル９Ｂ間端縁は、ステンレス鋼板を屈曲形成した上フレーム４１にて接続される。
【００４２】
本体２を構成し、上枠部材３１の収容部３６に収納される上フレーム４１は、一面、本実施例では、後面開口４の開口方向（即ち下方）に開口する断面略コ字状に形成され、内部に陳列室３内に設けられるランプヒータ１６等の電気機器の配線１６Ａを収納可能な空間４２が左右に延在して構成される。上フレーム４１の両側端は、左右フレーム１０上端と連通して構成され、天壁９を構成する外面パネル９Ａと内面パネル９Ｂとの間隔内に引き出され、上フレーム４１内に引き出された配線１６Ａは、左右フレーム１０内に引き出されて収納される。
【００４３】
そして、この上フレーム４１の下面開口４１Ａは、上枠部材３１が取り付けられ、当該上枠部材３１の収容部３６に収容された状態で、レール３５側の上面にて塞がれる。
【００４４】
上述したように、各上枠部材３１、側枠部材３２、３２、下枠部材３３は、同一断面形状の樹脂押し出し成形にて構成されている。そのため、上枠部材３１と側枠部材３２、３２の突き合わせ部分は、それぞれ所定角度、この場合、いずれも４５°の角度にて切断されて略きっちりと突き合わせ可能とされる。
【００４５】
また、本実施例では、枠材３０を構成する各枠部材は、図５の断面図に示すように、収容部３６をレール３５から切除する案内となる断面Ｖ字状の溝３８が長手方向に渡ってが形成されている。このほかにも、各枠部材のネジ止めに用いる固定孔を形成するための位置決め（案内）となる断面Ｖ字状の溝３９・・・が長手方向に渡って形成されている。
【００４６】
本実施例における後面開口４の下辺には、本体２の下部内には、電装箱１７を挿脱自在に収容し、その後面を閉塞すると共に、当該後面に露出して液晶表示器２０や電源スイッチ２１が設けられる後面パネル４０が取り付けられている。そのため、他の上枠部材３１や側枠部材３２と同様の形状にて構成される枠部材では、後面開口４の下縁を縁取る場合、収容部３６が邪魔となる。
【００４７】
そのため、後面開口４の下縁を縁取る下枠部材３３を構成する場合には、上枠部材３１等と同様に形成される枠部材を溝３８に沿って収容部３６を切除する（図６のハッチング部分）。これにより、他の枠部材３１や３２と同一断面形状の樹脂押し出し成形を用いて、容易に収容部３６が除去されたレール３５のみから構成される下枠部材３３を構成することができる。
【００４８】
以上の構成により、本体２の組み立て手順について説明する。先ず、底壁８の両側部に左右フレーム１０を立設し、ネジ止めにて固定する。次いで、当該フレーム１０の外側に本体２の外面を構成する壁材、この場合、側板５を当接させて、その下端を底壁８に差し込む。
【００４９】
この状態で、側枠部材３２の収容部３６内に左右フレーム１０と側板５の後面開口４側端部を収容させるように、側枠部材３２を取り付けることで、側板５を左右フレーム１０に保持、若しくは仮保持させておくことができる。
【００５０】
その後、各側板５の上端間に渡って天壁９を取り付ける。側板５と天壁９とをネジ５３にて固定及び、側板５と底壁８とをネジ５４にて固定する。このように、組み立て作業時において、側板５は側枠部材３２、３２にて保持又は仮保持しておくことができ、組立作業性の向上を図ることができる。
【００５１】
そして、底壁８、天壁９、側板５、５及び前面板６の組立により本体２を固定した後、側枠部材３２、３２を一旦外し、左右フレーム１０の断面略コ字状の一面を開口させる。この状態で、陳列室３内のランプヒータ１６等の配線１６Ａをフレーム１０の空間１５内に引き込み、その端部をフレーム１０下方から本体２下部に配設された電装箱１７に接続する。このとき、上フレーム４１の空間４２内に引き込まれた配線１６Ａ等を同様に、当該左右フレーム１０内に収容して電装箱１７に接続する。
【００５２】
また、本体２の後面開口４の下縁に図６に示す如きレール３５のみから成る下枠部材３３をネジ４５にて固定し、開口４の上縁に上枠部材３１を取り付ける。図４に示すように、上枠部材３１の収容部３６には、上フレーム４１と、当該上フレーム４１の外側（この場合上側）に位置して当該本体２の外面を構成する天壁９の外面パネル９Ａとが収容される。そして、上フレーム４１と上枠部材３１、外面パネル９Ａ及び／又はフレーム４１は、ネジ４３、４３にて固定される。尚、この場合、当該ネジ止めには、上述した如く枠部材に予め形成された孔開け案内用の溝３９を用いる。これにより、容易にネジ固定の位置決めを行うことができ、組立作業性の向上を図ることができる。
【００５３】
その後、本体２の後面開口４の両側縁のそれぞれに、図３に示すように、側枠部材３２の収容部３６には、左右フレーム１０と、当該左右フレーム１０の外側に位置して当該本体２の外面を構成する側板５とが収容される。
【００５４】
そして、左右フレーム１０（開口と対向する面）と、側枠部材３２の収容部３６にて側板５を挟持した状態で、左右フレーム１０と、側枠部材３２とがネジ４４にて固定される。この場合も同様に、当該ネジ止めには、上述した如く枠部材に予め形成された孔開け案内用の溝３９を用いる。これにより、容易にネジ固定の位置決めを行うことができ、組立作業性の向上を図ることができる。
【００５５】
各枠部材３１、３２、３２、３３が後面開口４縁部に固定されることにより、当該後面開口４は、枠材３０によって縁取られる。そして、この各枠部材の後面開口４の開口方向には、扉７、７を填め込むことが可能とされるレール３５が構成される。当該レール３５に前後に形成された溝３５Ａ、３５Ａに扉７、７をそれぞれ取り付ける。これにより、当該扉７、７が摺動自在に保持されて、後面開口４は、扉７、７により開閉自在に閉塞される。
【００５６】
このように、本実施例では、枠材３０、即ち、上枠部材３１、側枠部材３２、３２を後面開口４の縁部に取り付けることで、フレーム１０、４１及び側板５や天壁９等の壁材の後端面を隠蔽することができる。これにより、後方からの外観向上を実現できる。
【００５７】
この状態で、各フレーム１０、４１の内部に形成された空間１５又は４２内に収納された配線１６Ａは、開口された一面、本実施例では、後面開口４の開口方向の面（開口１０Ａ又は４１Ａ）が各枠部材３１、３２、３２が取り付けられることで塞がれるため、フレーム内部に配線１６Ａを支障なく収容することができる。配線１６Ａが外観に露出されない構成とできる。
【００５８】
そして、陳列室３内に配設されるランプヒータ１６等の配線を伴う機器のメンテナンス作業を行う際には、側枠部材３２や上枠部材３１を取り外すのみで、フレーム１０や４１の開口１０Ａや４１Ａを開放させることができ、これにより、配線１６Ａを伴う機器のメンテナンス作業性を向上させることができる。
【００５９】
また、上述したように、本実施例における枠材３０を構成する四つの枠部材３１、３２、３２、３３は、同一断面形状の樹脂押出成形にて構成されているため、同一形状の樹脂押出成型品の枠部材によって枠材３０を構成することができる。これにより、部品コストの低減を実現することができる。
【００６０】
更に、本実施例における各枠部材、特に下枠部材３３には、レール３５を横断する掃き出し部を切除構成する案内となる溝５０、５０（図３参照）を形成しても良い。これにより、当該溝５０に沿って掃き出し部を切除することで、陳列室３内で生じるゴミの掃き出し部５１を容易に形成することができる。
【符号の説明】
【００６１】
１    ショーケース
２    本体
３    陳列室
４    後面開口
５    側板
６    前面板
７    後扉（扉）
８    底壁
９    天壁
１０  左右フレーム（フレーム）
１０Ａ、４１Ａ  開口
１１  棚
１３    係合孔
１４    陳列皿
１５、４２  空間
１６    ランプヒータ
１７    電装箱
２０    液晶表示器
２１    電源スイッチ
３０    枠材
３１    上枠部材
３２    側枠部材
３３    下枠部材
３５    レール
３６    収容部
３８、３９、５０  溝
４１    上フレーム（フレーム）
５１    掃き出し部
【図１】
0005591553.tif 000002
【図２】
0005591553.tif 000003
【図３】
0005591553.tif 000004
【図４】
0005591553.tif 000005
【図５】
0005591553.tif 000006
【図６】
0005591553.tif 000007
【図７】
0005591553.tif 000008